(57)【特許請求の範囲】
【請求項１】
複数の光源と、前記各光源を点灯させるための各々の点灯回路部と、前記点灯回路部へ点灯出力信号を発し、各光源の点灯状態を制御する制御部と、前記制御部内に設けられて商用電源の通電信号にて電源の有無を判別する停電検出部と、商用電源の遮断時でも一定時間は電源供給するように商用電源を整流し平滑コンデンサに蓄積された電源部とを備え、前記制御部が点灯回路部へ点灯出力信号を発してから光源が所定の点灯状態に至るまでに要する時間が光源によって異なり、光源が所定の点灯状態に至るまでに要する時間が短い方の光源は商用電源の通電信号と連動して前記電源部から電源を供給されており、商用電源の遮断により通電信号が無くなると、直ちに前記電源部から電源を供給されている光源の電源を遮断することを特徴とする照明装置。
【請求項２】
複数の光源と、前記各光源を点灯させるための各々の点灯回路部と、前記点灯回路部へ点灯出力信号を発し、各光源の点灯状態を制御する制御部と、前記制御部内に設けられて商用電源の通電信号にて電源の有無を判別する停電検出部と、商用電源の遮断時でも一定時間は電源供給するように商用電源を整流し平滑コンデンサに蓄積された電源部とを備え、前記制御部が点灯回路部へ点灯出力信号を発してから光源が所定の点灯状態に至るまでに要する時間が光源によって異なり、光源が所定の点灯状態に至るまでに要する時間が短い方の光源は前記制御部からの出力信号によって前記電源部から電源を供給されており、商用電源遮断により通電信号が無くなると、前記停電検出部が停電を判別すると直ちに前記制御部からの出力信号により前記電源部から電源を供給されている光源の電源を遮断することを特徴とする照明装置。
【請求項３】
複数の光源と、前記各光源を点灯させるための各々の点灯回路部と、前記点灯回路部へ点灯出力信号を発し、各光源の点灯状態を制御する制御部と、前記制御部内に設けられて商用電源の通電信号にて電源の有無を判別する停電検出部と、商用電源の遮断時でも一定時間は電源供給するように商用電源を整流し平滑コンデンサに蓄積された電源部とを備え、前記制御部が点灯回路部へ点灯出力信号を発してから光源が所定の点灯状態に至るまでに要する時間が光源によって異なり、商用電源遮断により通電信号が無くなり、前記停電検出部により停電が判別されてから各光源の点灯回路部への点灯出力信号を停止させるまでの遅延時間を、各光源が所定の点灯状態に至るまでに要する時間に応じて設定したことを特徴とする照明装置。
【請求項４】
制御部の電源と少なくとも１つの光源の電源が同一であり、該電源は、商用電源の遮断時でも一定時間は電源供給するように商用電源を整流し平滑コンデンサに蓄積された電源部であることを特徴とする請求項１〜３のいずれかに記載の照明装置。
【請求項５】
前記停電検出部は商用電源に同期した通電信号にて電源の有無を判別し、前記遅延時間は２０ｍｓｅｃ以上と２０ｍｓｅｃ未満の遅延時間をそれぞれ１つ以上設定することを特徴とする請求項３記載の照明装置。
【請求項６】
上記請求項１〜５のいずれかに記載の照明装置を器具本体に設けたことを特徴とする照明器具。
【発明の詳細な説明】
【０００１】
【発明の属する技術分野】
本発明は、制御部の信号により点灯回路部を通じて光源に対する点灯、消灯などの制御を実行する照明装置に関するものである。
【０００２】
【従来の技術】
従来例のブロック図を図８に示す。商用電源１に接続された照明装置２は、２つの光源６，９を備えている。商用電源１をダイオードＤ１，Ｄ２で全波整流した電圧を通電信号として制御部３の停電検出部４に送り、商用電源１の有無を制御部３が認識しつつ点灯回路部５に点灯信号を発し、光源６の点灯（消灯）状態を制御している。商用電源１の遮断時でも一定時間は電源を供給するように、商用電源１を整流し平滑コンデンサに電荷を蓄積した電源部７が制御部３の動作電源となっている。点灯回路部５内にも同様に平滑コンデンサを用いた構成の電源部８を備える場合もある。通電信号が無くなると、停電検出部４は停電と判別し、光源６を消灯させようと点灯回路部５へ出力信号を停止する。ここで、例えば、光源６に蛍光灯を使い、蛍光灯の短寿命や始動時での不点灯などの不具合を回避する等の目的で、点灯回路部５には「予熱→始動→点灯」等の各モードを持っていることが一般的であり、点灯回路部５が制御部３から点灯信号を受けてから光源６が所定の点灯状態に至るまでにユーザーが違和感を持つ時間がかかる場合がある。
【０００３】
仮に、ノイズや電源の欠相などの本来の停電でないときにも通電信号が無くなってしまったら停電検出部４が停電と判別し、点灯回路部５への出力信号を一旦停止する。その後、すぐに通電信号が復帰して点灯回路部５への出力信号も復帰するが、点灯回路部５において光源６を所定の点灯状態に至らせるまでに時間がかかるため、ユーザーにとっては光源６の状態変化に違和感を持つことになる。その違和感を解消するために、停電検出部４が停電と判別した時点から、点灯回路部５への出力信号を停止させるまでに遅延時間を設定することをこれまでしてきた。
【０００４】
従来例の動作を図１０のフローチャートに示す。光源が点灯すると、停電後の遅延時間Ｔをカウントするためのタイマーをスタートさせる。停電が検知されず、通電状態であれば、遅延時間Ｔをカウントするためのタイマーをリセット（Ｔ＝０）し、制御部３から点灯回路部５への点灯出力をＯＮとする。停電が検知されると、停電検知後、所定の時間Ｔｘが経過するまでは光源６の点灯を維持し、所定の時間Ｔｘが経過した後、制御部３から点灯回路部５への点灯出力をＯＦＦとする。これにより、第１点灯回路部５は動作を停止し、第１の光源６は消灯する。
【０００５】
この遅延時間Ｔｘ以内ならば、通電信号が無くなっても光源６の状態変化は行われず、ユーザーにとっての違和感を無くすことが出来ている。また、ＬＥＤなどの別の光源９が併備されており、その点灯用の電源が商用電源１の供給によるものならば、当然、商用電源１の遮断に連動して光源９は消灯していたので、点灯回路部１０への出力信号を停止させるまでの遅延時間も点灯回路部５への出力信号の停止までの遅延時間Ｔｘと同一でどれも一定であった。
【０００６】
【発明が解決しようとする課題】
ところが、光源９の電源として、図８のように商用電源１を直接供給するものであれば、当然、商用電源１の遮断に連動して光源９は消灯していたので、問題が無かったが、図９のように、光源９の電源として、商用電源１を整流し直流に変換して供給するものがある。図９の従来例では、点灯回路部５内に平滑コンデンサを用いた構成の電源部８を備え、この電源部８から光源９の電源を供給するとともに、制御部３の電源部７から第２点灯回路部１０の電源を供給している。これは、図８の従来例が商用電源１から第２点灯回路部１０および光源９の電源を供給する構成とは異なり、商用電源１が遮断されても、電源部７から第２点灯回路部１０への電源供給は続き、第１点灯回路部５の電源部８から光源９への電源供給も続くから、停電検出部４が停電を検知した後、制御部３が図１０のフローチャートに従い、Ｔｘの遅延時間をカウントして第１点灯回路部５および第２点灯回路部１０への点灯信号を出力停止するまでは、光源９は点灯し続けることになる。したがって、仮にユーザーが照明器具に対する入力電源の停止操作を行った場合でも照明器具は見掛け上、直ちには反応せず、遅れて消灯し、その間は残光が残ることにもなり、ユーザーは違和感を持つことになる。
【０００７】
また、ユーザーがあえて入力電源のＯＮ−ＯＦＦ操作を行うことによって入力電源の有無を信号として点灯状態を切り替えることの出来るようにした照明装置においては、入力電源ＯＦＦ時でも制御部３は動作しなければならず、入力電源ＯＦＦから次の信号である入力電源ＯＮを受け付けることのできる時間は制御部３への電源供給は必要不可欠である。そこで、制御部３の電源部７を光源９のために共用していたら、光源９が点灯し続けてしまうことは、制御部３への電源供給時間の短縮にもなる。
【０００８】
本発明は上述の点に鑑みてなされたもので、その目的とするところは、ユーザーの入力電源停止操作による消灯時において光源の残光による違和感を無くすことのできる照明装置を提供することにある。
【０００９】
【課題を解決するための手段】
請求項１の発明によれば、上記の課題を解決するために、図１に示すように、複数の光源６，９と、前記各光源６，９を点灯させるための各々の点灯回路部５，１０と、前記点灯回路部５，１０へ点灯出力信号を発し、各光源６，９の点灯状態を制御する制御部３と、前記制御部３内に設けられて商用電源１の通電信号にて電源の有無を判別する停電検出部４と、商用電源１の遮断時でも一定時間は電源供給するように商用電源１を整流し平滑コンデンサに蓄積された電源部７，８とを備え、前記制御部３が点灯回路部５，１０へ点灯出力信号を発してから光源６，９が所定の点灯状態に至るまでに要する時間が光源６，９によって異なり、光源が所定の点灯状態に至るまでに要する時間が短い方の光源９は商用電源１の通電信号と連動して（図１ではスイッチ要素Ｑを介して）前記電源部８から電源を供給されており、商用電源１の遮断により通電信号が無くなると、直ちに前記電源部８から電源を供給されている光源９の電源を遮断することを特徴とするものである。
【００１０】
請求項２の発明によれば、同じ課題を解決するために、図２に示すように、複数の光源６，９と、前記各光源６，９を点灯させるための各々の点灯回路部５，１０と、前記点灯回路部５，１０へ点灯出力信号を発し、各光源６，９の点灯状態を制御する制御部３と、前記制御部３内に設けられて商用電源１の通電信号にて電源の有無を判別する停電検出部４と、商用電源１の遮断時でも一定時間は電源供給するように商用電源１を整流し平滑コンデンサに蓄積された電源部７，８とを備え、前記制御部３が点灯回路部５，１０へ点灯出力信号を発してから光源６，９が所定の点灯状態に至るまでに要する時間が光源６，９によって異なり、光源が所定の点灯状態に至るまでに要する時間が短い方の光源９は前記制御部３からの出力信号によって（制御されるスイッチ要素Ｑを介して）前記電源部８から電源を供給されており、商用電源１の遮断により通電信号が無くなると、前記停電検出部４が停電を判別すると直ちに前記制御部３からの出力信号により前記電源部８から電源を供給されている光源９の電源を遮断することを特徴とするものである。
【００１１】
請求項３の発明によれば、同じ課題を解決するために、図３に示すように、複数の光源６，９と、前記各光源６，９を点灯させるための各々の点灯回路部５，１０と、前記点灯回路部５，１０へ点灯出力信号を発し、各光源６，９の点灯状態を制御する制御部３と、前記制御部３内に設けられて商用電源の通電信号にて電源の有無を判別する停電検出部４と、商用電源１の遮断時でも一定時間は電源供給するように商用電源１を整流し平滑コンデンサに蓄積された電源部７，８とを備え、前記制御部３が点灯回路部５，１０へ点灯出力信号を発してから光源６，９が所定の点灯状態に至るまでに要する時間が光源６，９によって異なり、商用電源１の遮断により通電信号が無くなり、前記停電検出部４により停電が判別されてから各光源６，９の点灯回路部５，１０への点灯出力信号を停止させるまでの遅延時間Ｔｘ，Ｔｙを、各光源６，９が所定の点灯状態に至るまでに要する時間Ｔ１，Ｔ２に応じて設定したことを特徴とするものである。
請求項４の発明によれば、請求項１〜３のいずれかに記載の照明装置において、図４に示すように、制御部３の電源と少なくとも１つの光源９の電源が同一であり、該電源は、商用電源１の遮断時でも一定時間は電源供給するように商用電源１を整流し平滑コンデンサに蓄積された電源部７であることを特徴とするものである。
【００１２】
請求項５の発明によれば、請求項３記載の照明装置において、図５に示すように、前記停電検出部４は商用電源１に同期した通電信号にて電源の有無を判別し、前記遅延時間Ｔｘ，Ｔｙは２０ｍｓｅｃ以上と２０ｍｓｅｃ未満の遅延時間をそれぞれ１つ以上設定することを特徴とするものである。図５では、抵抗分圧回路とトランジスタＴｒによりゼロクロス検出回路を構成しており、トランジスタＴｒのコレクタ電位は商用電源１のゼロクロス付近でＨｉｇｈレベルとなるが、電源同期信号の検出回路はこれに限定されるものではない。電源周波数が５０Ｈｚならば電源同期信号は１０ｍｓの周期にて発生する。停電検出部４はこの電源同期信号が無くなると、停電と判別する。
請求項６の発明は、請求項１〜５のいずれかに記載の照明装置を器具本体に設けたことを特徴とするものである。
【００１３】
【発明の実施の形態】
（実施形態１）
本発明の第１の実施形態の構成を図１に示す。商用電源１に接続された照明装置２は、蛍光ランプよりなる第１の光源６と、補助光源としてのＬＥＤよりなる第２の光源９を備えており、第１の光源６は第１点灯回路部５により点灯され、第２の光源９は第２点灯回路部１０により点灯される。第１点灯回路部５は、商用電源１からの入力交流電圧を整流して得た直流電圧をスイッチング素子でスイッチングすることにより高周波に変換して蛍光ランプ６を高周波点灯させる。第２点灯回路部１０は、第１点灯回路部５の直流電圧を降圧してＬＥＤ９の点灯制御を行う。制御部３は第１点灯回路部５および第２点灯回路部１０に点灯信号を出力する。制御部３には商用電源１からダイオードＤ１，Ｄ２を介して得た通電信号にて電源の有無を判別する停電検出部４を備えている。制御部３を動作させるための電源は、商用電源１を整流した電圧で充電される平滑コンデンサからなる電源部７から供給されており、商用電源１の遮断時でも一定時間は制御部３に電源を供給できるようになっている。第１点灯回路部５内にも同様に平滑コンデンサを用いた構成の電源部８を備えている。
【００１４】
商用電源１をダイオードＤ１，Ｄ２で全波整流した電圧を通電信号として制御部３の停電検出部４に送り、商用電源１の有無を制御部３が認識しつつ点灯回路部５に点灯信号を発し、光源６の点灯（消灯）状態を制御している。通電信号が無くなると、停電検出部４は停電と判別し、光源６を消灯させようと点灯回路部５への点灯信号の出力を停止する。
【００１５】
ここで、第１点灯回路部５にて点灯する蛍光ランプ６は、制御部３からの点灯信号を受けてから「予熱→始動→点灯」の各ステップを経て所定の点灯状態となるのに約１秒の時間を有する光源である。第２点灯回路部１０にて点灯するＬＥＤ９は、電源供給と制御部３からの点灯信号があれば所定の点灯状態になる補助光源である。ＬＥＤ９および第２点灯回路部１０に供給する第１点灯回路部５内の電源部８からの電源を、通電信号の有無に応じて供給／遮断する構成にする。商用電源１が遮断されると商用電源１をダイオードＤ１，Ｄ２で全波整流した通電信号が無くなり、スイッチ要素Ｑが開いて、第２点灯回路部５の電源が遮断され、ＬＥＤ９は消灯する。
【００１６】
本実施形態の動作を図６のフローチャートに示す。光源が点灯すると、停電後の遅延時間Ｔをカウントするためのタイマーをスタートさせる。停電が検知されず、通電状態であれば、遅延時間Ｔをカウントするためのタイマーをリセット（Ｔ＝０）し、制御部３から点灯回路部５，１０への点灯出力をＯＮとする。停電が検知されると、まず、点灯回路部が再始動に時間を要さない点灯回路部であれば、光源の電源をＯＦＦとする。すなわち、第２の光源９は消灯とする。また、停電検知されても、点灯回路部が再始動に時間を要する点灯回路部であれば、停電検知後、所定の時間Ｔｘが経過するまでは光源の点灯を維持し、所定の時間Ｔｘが経過した後、制御部３から点灯回路部５への点灯出力をＯＦＦとする。これにより、第１点灯回路部５は動作を停止し、第１の光源６は消灯する。
【００１７】
（実施形態２）
本発明の第２の実施形態の構成を図２に示す。本発明の第１の実施形態の構成とほぼ同じであるが、ＬＥＤ９および第２点灯回路部１０に供給する第１点灯回路部５内の電源部８からの電源を、制御部３の出力信号にて遮断する構成とした。商用電源１が遮断されると通電信号が無くなり、停電検出部４が停電と判別したら制御部３からの出力信号にてスイッチ要素ＱがＯＦＦとなり、第２点灯回路部１０の電源が遮断され、その結果、ＬＥＤ９は消灯する。本実施形態の動作は図６のフローチャートと同様である。
【００１８】
（実施形態３）
本発明の第３の実施形態の構成を図３に示す。本発明の第１の実施形態の構成とほぼ同じであるが、入力電源が遮断されると通電信号が無くなり、停電検出部４が停電と判別したら制御部３からの点灯出力信号を遮断し、光源６，９は消灯する。ただし、停電と判断してから点灯出力信号を遮断するまでの遅延時間は光源６と９とでは異なり、制御部３が点灯回路部５へ点灯出力信号を発してから光源６が所定の点灯状態に至るまでにＴ１の時間を要し、制御部３が点灯回路部１０へ点灯出力信号を発してから光源９が所定の点灯状態に至るまでにＴ２の時間を要するものとすると、Ｔ１＞Ｔ２である。ここで、Ｔ２の時間は光源９がこの時間消灯してもユーザーにとって違和感を持たない時間である。一方、Ｔ１の時間は光源６がこの時間消灯したらユーザーにとって違和感を持ってしまう時間である。
【００１９】
このことから、本実施形態では、制御部３から各点灯回路部５，１０に出力される点灯信号を停電時に遮断させるときの遅延時間を光源別、点灯回路別に設定したものであり、停電と判別してから制御部３が点灯回路部５への点灯出力信号を遮断するまでの遅延時間をＴｘ、制御部３が点灯回路部１０への点灯出力信号を遮断するまでの遅延時間をＴｙとすると、Ｔｘ＞Ｔｙとなるように遅延時間を設定している。すなわち、光源が所定の点灯状態に至るまでの時間が短いときは早く点灯信号を遮断して光源の残光を防ぎ、ユーザーの違和感を無くす。また、欠相やノイズにより瞬間的な停電検知が起きた場合でも点灯信号が復帰した場合に所定の点灯状態に至るまでの時間が短いからユーザーが違和感を感じることはない。
【００２０】
本実施形態の動作を図７のフローチャートに示す。光源が点灯すると、停電後の遅延時間Ｔをカウントするためのタイマーをスタートさせる。停電が検知されず、通電状態であれば、遅延時間Ｔをカウントするためのタイマーをリセット（Ｔ＝０）し、制御部３から点灯回路部５，１０への点灯出力をＯＮとする。停電が検知されると、まず、点灯回路部が再始動に時間Ｔ１を要する点灯回路部であれば、停電検知後、所定の時間Ｔｘが経過するまでは光源の点灯を維持し、所定の時間Ｔｘが経過した後、制御部３から点灯回路部５への点灯出力をＯＦＦとする。これにより、第１点灯回路部５は停電後、所定の時間Ｔｘの経過後に動作を停止し、第１の光源５は消灯する。また、点灯回路部が再始動に時間Ｔ２を要する点灯回路部であれば、停電検知後、所定の時間Ｔｙが経過するまでは光源の点灯を維持し、所定の時間Ｔｙが経過した後、制御部３から点灯回路部１０への点灯出力をＯＦＦとする。これにより、第２点灯回路部１０は停電後、所定の時間Ｔｙの経過後に動作を停止し、第２の光源１０は消灯する。
【００２１】
（実施形態４）
本発明の第４の実施形態の構成を図４に示す。発明の第３の実施形態とほぼ構成は同じであるが、本実施形態では、ＬＥＤなどの光源９の電源を制御部３の電源部７と共用する構成としたものである。すなわち、制御部３と光源９の電源が同一で、商用電源１の遮断時でも一定時間は電源供給するように、商用電源１を整流し平滑コンデンサにて蓄積された電源部７を用いた構成であり、制御部３が動作している間は光源９も点灯可能であるため、停電検出部４で停電判別をすると速やかに光源９を消灯させ、残光を防ぐとともに、商用電源１の遮断時の制御部３の消費電力を減らし、制御部３の動作時間を延ばすようにしたものである。本実施形態の動作は図６又は図７のフローチャートのいずれでも良いが、図７のフローチャートでＴｙ＝０と設定した場合に相当する図６の動作の方が商用電源１の遮断時における制御部３の消費電力を減らし、制御部３の動作時間を延ばす効果は大きい。
【００２２】
（実施形態５）
本発明の第５の実施形態の構成を図５に示す。本実施形態の動作は図７のフローチャートと同様である。本発明の第４の実施形態とほぼ構成は同じであるが、ゼロクロス検出による電源同期信号を通電信号として停電判別を行う点が異なる。制御部３には商用電源１からダイオードＤ１，Ｄ２を介して、電源周波数に同期した通電信号が入り、この通電信号にて停電検出部４は電源の有無を判別するものである。電源周波数に同期した通電信号は、５０Ｈｚならば１０ｍｓの周期にて通電信号が発生する。
【００２３】
制御部３から点灯出力信号を受けてから所定の点灯状態に至るまでの時間がユーザーが違和感をもつ位に長い第１点灯回路部５への遅延時間Ｔｘは２０ｍｓ以上に設定する。このように設定すれば、欠相やノイズなどで電源同期信号が１つ位抜けて停電判断されても再起動に時間のかかる蛍光灯などの光源６は元の状態のままにしておくことができる。また、制御部３から点灯出力信号を受けてから所定の点灯状態に至るまでの時間がユーザーが違和感をもたない位に短い第２点灯回路部１０への遅延時間Ｔｙは２０ｍｓ未満となるように設定する。これにより、欠相やノイズなどで電源同期信号が抜けて停電判断されると、ＬＥＤなどの光源９は消灯させることができる。また、本実施形態では、電源同期信号を通電信号として用いたことで、光源９として白熱球を用いた場合の位相制御にも対応することができ、制御部３の共用化ができる。
【００２４】
【発明の効果】
請求項１の発明は、光源の電源として商用電源を整流し平滑コンデンサにて蓄積された電源を用い、制御部が点灯回路部へ点灯出力信号を発してから光源が所定の点灯状態に至るまでに要する時間がユーザーの違和感を持たないくらい短いならば、停電時に光源の電源を遮断することで消灯させ、停電後の残光を防ぎ、ユーザーの違和感を無くすことができる。
請求項２の発明は、請求項１の発明と同様に、停電後の残光を防ぎ、ユーザーの違和感を無くすことができるとともに、停電時には制御部からの出力信号により光源の電源を遮断することで消灯させるようにしたので、請求項１の発明よりは通電信号の検出のための構成を簡略化できる。
【００２５】
請求項３の発明は、請求項１，２の発明と同様の効果を奏するとともに、制御部から各点灯回路部に出力される点灯信号を停電時に遮断させるときの遅延時間を光源別、点灯回路別に設定したので、請求項１，２の発明に比べると電源を遮断する構成を省くことができる。
請求項４の発明は、請求項１〜３と同様の効果を奏すると共に、光源の電源を制御部の電源と共通にしていることから、停電時での消費電力を抑え、小容量の平滑コンデンサを用いることができ、また、制御部の動作時間を延ばすことができる。
請求項５の発明は、電源同期信号を通電信号として用いたことで、白熱球の位相制御にも対応することができ、制御部の共用化ができる。
【図面の簡単な説明】
【図１】本発明の実施形態１の構成を示すブロック回路図である。
【図２】本発明の実施形態２の構成を示すブロック回路図である。
【図３】本発明の実施形態３の構成を示すブロック回路図である。
【図４】本発明の実施形態４の構成を示すブロック回路図である。
【図５】本発明の実施形態５の構成を示すブロック回路図である。
【図６】本発明の実施形態１，２の動作を示すフローチャートである。
【図７】本発明の実施形態３，４，５の動作を示すフローチャートである。
【図８】従来例１の構成を示すブロック回路図である。
【図９】従来例２の構成を示すブロック回路図である。
【図１０】従来例１，２の動作を示すフローチャートである。
【符号の説明】
１    商用電源
２    照明装置
３    制御部
４    停電検出部
５    第１点灯回路部
６    光源（蛍光灯）
７    電源部
８    電源部
９    光源（ＬＥＤ）
１０  第２点灯回路部
【図１】
0004003479.tif 000002
【図２】
0004003479.tif 000003
【図３】
0004003479.tif 000004
【図４】
0004003479.tif 000005
【図５】
0004003479.tif 000006
【図６】
0004003479.tif 000007
【図７】
0004003479.tif 000008
【図８】
0004003479.tif 000009
【図９】
0004003479.tif 000010
【図１０】
0004003479.tif 000011